(57)【要約】【課題】ユーザーの保守負担を減らしつつ、トナーこぼれの発生を防止することが可能な画像形成装置および飛翔装置を提供する。【解決手段】画像形成装置は、像担持体に対向して配置され、トナーとキャリアーとを含む現像剤を担持しながら搬送し、像担持体に現像剤中のトナーを供給する現像剤担持体と、像担持体および現像剤担持体の上方に配置され、現像剤担持体の表面から飛散した飛散トナーを吸引口から吸引する空気の流路を形成する吸引ダクトと、空気の流れを発生させる吸引ファンと、吸引ダクトの内壁面に設けられ、飛散トナーを補集する弾性の補集部材と、補集部材を弾性変形させることによって補集部材により補集された飛散トナーを飛翔させるトナー飛翔部材とを備える。【選択図】図３
2016118633.tif 000002
【特許請求の範囲】
【請求項１】
像担持体に対向して配置され、トナーとキャリアーとを含む現像剤を担持しながら搬送し、前記像担持体に前記現像剤中のトナーを供給する現像剤担持体と、
前記像担持体および前記現像剤担持体の上方に配置され、前記現像剤担持体の表面から飛散した飛散トナーを吸引口から吸引する空気の流路を形成する吸引ダクトと、
前記空気の流れを発生させる吸引ファンと、
前記吸引ダクトの内壁面に設けられ、前記飛散トナーを補集する弾性の補集部材と、
前記補集部材を弾性変形させることによって、前記補集部材により補集された前記飛散トナーを飛翔させるトナー飛翔部材と、
を備える画像形成装置。
【請求項２】
前記補集部材は、繊維状材料で形成される、
請求項１に記載の画像形成装置。
【請求項３】
前記補集部材は、発泡性材料で形成される、
請求項１に記載の画像形成装置。
【請求項４】
前記補集部材は、短冊状フイルムで形成される、
請求項１に記載の画像形成装置。
【請求項５】
前記吸引ファンの吸引風速は、前記補集部材により補集された前記飛散トナーが前記トナー飛翔部材により飛翔させられる場合、前記飛散トナーが前記トナー飛翔部材により飛翔させられない場合と比べて増大するように制御される、
請求項１〜４の何れか１項に記載の画像形成装置。
【請求項６】
像担持体に対向して配置され、トナーとキャリアーとを含む現像剤を担持しながら搬送し、前記像担持体に前記現像剤中のトナーを供給する現像剤担持体と、
前記像担持体および前記現像剤担持体の上方に配置され、前記現像剤担持体の表面から飛散した飛散トナーを吸引口から吸引する空気の流路を形成する吸引ダクトと、
前記空気の流れを発生させる吸引ファンと、
を備える画像形成装置に設けられる飛翔装置であって、
前記吸引ダクトの内壁面に設けられ、前記飛散トナーを補集する弾性の補集部材と、
前記補集部材を弾性変形させることによって、前記補集部材により補集された前記飛散トナーを飛翔させるトナー飛翔部材と、
を備える飛翔装置。
【発明の詳細な説明】
【技術分野】
【０００１】
本発明は、電子写真方式の画像形成装置および飛翔装置に関する。
【背景技術】
【０００２】
一般に、電子写真プロセス技術を利用した画像形成装置（プリンター、複写機、ファクシミリ等）は、帯電した感光体に対して、画像データに基づくレーザー光を照射（露光）することにより静電潜像を形成する。そして、静電潜像が形成された感光体（像担持体）へ現像装置よりトナーを供給することにより静電潜像を可視化してトナー像を形成する。さらに、このトナー像を直接又は間接的に用紙に転写させた後、加熱、加圧して定着させることにより用紙に画像を形成する。
【０００３】
画像形成装置に用いられる現像装置として、トナーとキャリアーとからなる二成分現像剤を用いたものが多用されている。この現像装置は、感光体ドラムに近接して配置された現像ローラーを備え、現像ローラーは、その内部に複数の磁極を有する。そして、現像ローラーは、この磁極から発生する磁界によってその外周面に現像剤を担持して感光体ドラムへ供給する。
【０００４】
ところで、現像剤が、長期間使用されていない場合や高温高湿環境に放置された場合、トナーとキャリアーとの摩擦帯電がされない、あるいは、摩擦帯電し難い状態となるため、トナーの帯電量が低下する。そして、トナーの帯電量が低下した状態で画像形成動作を始めると、トナーとキャリアーとの静電気的な付着力が弱くなっているために、感光体で発生する風の流れ、現像時の交流電界の作用、現像スリーブの回転の遠心力等により、キャリアーから離脱したトナーが感光体ドラムに対向する現像領域となる現像装置の開口部から飛散する（トナー飛散）。飛散したトナーは、現像装置の上蓋上に堆積する。そして、堆積したトナーの量が過剰になると、画像形成時やメンテナンス時の振動により当該トナーが現像スリーブ上または感光体ドラム上にこぼれ落ちることに起因して、トナーこぼれと呼ばれる画像不良が発生するという問題があった。
【０００５】
上記問題に対して、特許文献１には、現像器筐体の上面部において、現像スリーブと感光体ドラムの周面との近傍で飛散するトナーを吸引するための吸引ダクト（上部ダクト）を設けたサクションユニットが開示されている。
【先行技術文献】
【特許文献】
【０００６】
【特許文献１】特開２０１１−２４２５７３号公報
【発明の概要】
【発明が解決しようとする課題】
【０００７】
しかしながら、特許文献１に記載の技術のように、現像装置の駆動中に飛散するトナーを吸引しても、全てのトナーを吸引しきれるわけではなく、吸引しきれなかったトナーは現像装置の上蓋（吸引ダクトの内壁面に対応する）上に堆積してしまう。そのため、トナーこぼれの発生を防止する、つまり堆積したトナーが現像スリーブ上または感光体ドラム上にこぼれ落ちないようにするため、ユーザーは、吸引ダクトの内壁面を定期的に清掃してトナーの堆積量を一定量以下に維持し続ける必要があるという問題があった。
【０００８】
本発明は、ユーザーの保守負担を減らしつつ、トナーこぼれの発生を防止することが可能な画像形成装置および飛翔装置を提供することを目的とする。
【課題を解決するための手段】
【０００９】
本発明に係る画像形成装置は、
像担持体に対向して配置され、トナーとキャリアーとを含む現像剤を担持しながら搬送し、前記像担持体に前記現像剤中のトナーを供給する現像剤担持体と、
前記像担持体および前記現像剤担持体の上方に配置され、前記現像剤担持体の表面から飛散した飛散トナーを吸引口から吸引する空気の流路を形成する吸引ダクトと、
前記空気の流れを発生させる吸引ファンと、
前記吸引ダクトの内壁面に設けられ、前記飛散トナーを補集する弾性の補集部材と、
前記補集部材を弾性変形させることによって、前記補集部材により補集された前記飛散トナーを飛翔させるトナー飛翔部材と、
を備える。
【００１０】
本発明に係る飛翔装置は、
像担持体に対向して配置され、トナーとキャリアーとを含む現像剤を担持しながら搬送し、前記像担持体に前記現像剤中のトナーを供給する現像剤担持体と、
前記像担持体および前記現像剤担持体の上方に配置され、前記現像剤担持体の表面から飛散した飛散トナーを吸引口から吸引する空気の流路を形成する吸引ダクトと、
前記空気の流れを発生させる吸引ファンと、
を備える画像形成装置に設けられる飛翔装置であって、
前記吸引ダクトの内壁面に設けられ、前記飛散トナーを補集する弾性の補集部材と、
前記補集部材を弾性変形させることによって、前記補集部材により補集された前記飛散トナーを飛翔させるトナー飛翔部材と、
を備える。
【発明の効果】
【００１１】
本発明によれば、現像剤担持体の表面から飛散した飛散トナーは、吸引ダクトの内壁面に設けられた補集部材によって補集された後、トナー飛翔部材によって補集部材から飛翔させられる。そして、補集部材から飛翔させられた飛散トナーは、吸引ファンによって吸引される。その結果、ユーザーが吸引ダクトの内壁面を定期的に清掃しなくても、吸引ダクトの内壁面に堆積する飛散トナー量を一定量以下に維持することができる。したがって、ユーザーの保守負担を減らしつつ、吸引ダクトの内壁面に堆積した飛散トナーが現像剤担持体上または像担持体上に落下することに起因するトナーこぼれの発生を防止することができる。
【図面の簡単な説明】
【００１２】
【図１】本実施の形態における画像形成装置の全体構成を概略的に示す図である。
【図２】本実施の形態における画像形成装置の制御系の主要部を示す図である。
【図３】本実施の形態における現像装置の構成を概略的に示す図である。
【図４】現像スリーブおよび飛翔装置の上視図である。
【図５】補集部材により補集された飛散トナーが飛翔する様子を示す図である。
【図６】現像スリーブおよび飛翔装置の上視図である。
【図７】補集部材により補集された飛散トナーが飛翔する様子を示す図である。
【発明を実施するための形態】
【００１３】
以下、本実施の形態を図面に基づいて詳細に説明する。図１は、本発明の実施の形態における画像形成装置１の全体構成を概略的に示す図である。図２は、本実施の形態における画像形成装置１の制御系の主要部を示す。図１、２に示す画像形成装置１は、電子写真プロセス技術を利用した中間転写方式のカラー画像形成装置である。すなわち、画像形成装置１は、感光体ドラム４１３上に形成されたＹ（イエロー）、Ｍ（マゼンタ）、Ｃ（シアン）、Ｋ（ブラック）の各色トナー像を中間転写ベルト４２１に転写（一次転写）し、中間転写ベルト４２１上で４色のトナー像を重ね合わせた後、用紙Ｓに転写（二次転写）することにより、画像を形成する。
【００１４】
また、画像形成装置１には、ＹＭＣＫの４色に対応する感光体ドラム４１３を中間転写ベルト４２１の走行方向に直列配置し、中間転写ベルト４２１に一回の手順で各色トナー像を順次転写させるタンデム方式が採用されている。
【００１５】
図２に示すように、画像形成装置１は、画像読取部１０、操作表示部２０、画像処理部３０、画像形成部４０、用紙搬送部５０、定着部６０および制御部１００を備える。
【００１６】
制御部１００は、ＣＰＵ（Central  Processing  Unit）１０１、ＲＯＭ（Read  Only  Memory）１０２、ＲＡＭ（Random  Access  Memory）１０３等を備える。ＣＰＵ１０１は、ＲＯＭ１０２から処理内容に応じたプログラムを読み出してＲＡＭ１０３に展開し、展開したプログラムと協働して画像形成装置１の各ブロックの動作を集中制御する。このとき、記憶部７２に格納されている各種データが参照される。記憶部７２は、例えば不揮発性の半導体メモリ（いわゆるフラッシュメモリ）やハードディスクドライブで構成される。
【００１７】
制御部１００は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。制御部１００は、例えば、外部の装置から送信された画像データを受信し、この画像データ（入力画像データ）に基づいて用紙Ｓに画像を形成させる。通信部７１は、例えばＬＡＮカード等の通信制御カードで構成される。
【００１８】
画像読取部１０は、ＡＤＦ（Auto  Document  Feeder）と称される自動原稿給紙装置１１及び原稿画像走査装置１２（スキャナー）等を備えて構成される。
【００１９】
自動原稿給紙装置１１は、原稿トレイに載置された原稿Ｄを搬送機構により搬送して原稿画像走査装置１２へ送り出す。自動原稿給紙装置１１は、原稿トレイに載置された多数枚の原稿Ｄの画像（両面を含む）を連続して一挙に読み取ることができる。
【００２０】
原稿画像走査装置１２は、自動原稿給紙装置１１からコンタクトガラス上に搬送された原稿又はコンタクトガラス上に載置された原稿を光学的に走査し、原稿からの反射光をＣＣＤ（Charge Coupled Device）センサー１２ａの受光面上に結像させ、原稿画像を読み取る。画像読取部１０は、原稿画像走査装置１２による読取結果に基づいて入力画像データを生成する。この入力画像データには、画像処理部３０において所定の画像処理が施される。
【００２１】
操作表示部２０は、例えばタッチパネル付の液晶ディスプレイ（ＬＣＤ：Liquid Crystal Display）で構成され、表示部２１及び操作部２２として機能する。表示部２１は、制御部１００から入力される表示制御信号に従って、各種操作画面、画像の状態表示、各機能の動作状況等の表示を行う。操作部２２は、テンキー、スタートキー等の各種操作キーを備え、ユーザーによる各種入力操作を受け付けて、操作信号を制御部１００に出力する。
【００２２】
画像処理部３０は、入力画像データに対して、初期設定またはユーザー設定に応じたデジタル画像処理を行う回路等を備える。例えば、画像処理部３０は、制御部１００の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２３】
画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を備える。
【００２４】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、ＣまたはＫを添えて示すこととする。図１では、Ｙ成分用の画像形成ユニット４１Ｙの構成要素についてのみ符号が付され、その他の画像形成ユニット４１Ｍ、４１Ｃ、４１Ｋの構成要素については符号が省略されている。
【００２５】
画像形成ユニット４１は、露光装置４１１、現像装置４１２、感光体ドラム４１３、帯電装置４１４、及びドラムクリーニング装置４１５等を備える。
【００２６】
感光体ドラム４１３は、例えばドラム径が８０［ｍｍ］のアルミニウム製の導電性円筒体（アルミ素管）の周面に、アンダーコート層（ＵＣＬ：Under Coat Layer）、電荷発生層（ＣＧＬ：Charge Generation Layer）、電荷輸送層（ＣＴＬ：Charge Transport Layer）を順次積層した負帯電型の有機感光体（ＯＰＣ：Organic Photo-conductor）である。電荷発生層は、電荷発生材料（例えばフタロシアニン顔料）を樹脂バインダー（例えばポリカーボネイト）に分散させた有機半導体からなり、露光装置４１１による露光により一対の正電荷と負電荷を発生する。電荷輸送層は、正孔輸送性材料（電子供与性含窒素化合物）を樹脂バインダー（例えばポリカーボネイト樹脂）に分散させたものからなり、電荷発生層で発生した正電荷を電荷輸送層の表面まで輸送する。
【００２７】
制御部１００は、感光体ドラム４１３を回転させる駆動モーター（図示略）に供給される駆動電流を制御することにより、感光体ドラム４１３は一定の周速度で回転させる。
【００２８】
帯電装置４１４は、光導電性を有する感光体ドラム４１３の表面を一様に負極性に帯電させる。露光装置４１１は、例えば半導体レーザーで構成され、感光体ドラム４１３に対して各色成分の画像に対応するレーザー光を照射する。感光体ドラム４１３の電荷発生層で正電荷が発生し、電荷輸送層の表面まで輸送されることにより、感光体ドラム４１３の表面電荷（負電荷）が中和される。感光体ドラム４１３の表面には、周囲との電位差により各色成分の静電潜像が形成されることとなる。
【００２９】
現像装置４１２は、二成分現像方式の現像装置であり、感光体ドラム４１３の表面に各色成分のトナーを付着させることにより静電潜像を可視化してトナー像を形成する。
【００３０】
ドラムクリーニング装置４１５は、感光体ドラム４１３の表面に摺接されるドラムクリーニングブレード等を有し、一次転写後に感光体ドラム４１３の表面に残存する転写残トナーを除去する。
【００３１】
中間転写ユニット４２は、中間転写ベルト４２１、一次転写ローラー４２２、複数の支持ローラー４２３、二次転写ローラー４２４、及びベルトクリーニング装置４２６等を備える。
【００３２】
中間転写ベルト４２１は無端状ベルトで構成され、複数の支持ローラー４２３にループ状に張架される。複数の支持ローラー４２３のうちの少なくとも一つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３３】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００３４】
二次転写ローラー４２４は、駆動ローラー４２３Ａのベルト走行方向下流側に配置されるローラー４２３Ｂ（以下「バックアップローラー４２３Ｂ」と称する）に対向して、中間転写ベルト４２１の外周面側に配置される。中間転写ベルト４２１を挟んで、二次転写ローラー４２４がバックアップローラー４２３Ｂに圧接されることにより、中間転写ベルト４２１から用紙Ｓへトナー像を転写するための二次転写ニップが形成される。
【００３５】
一次転写ニップを中間転写ベルト４２１が通過する際、感光体ドラム４１３上のトナー像が中間転写ベルト４２１に順次重ねて一次転写される。具体的には、一次転写ローラー４２２に一次転写バイアスを印加し、中間転写ベルト４２１の裏面側（一次転写ローラー４２２と当接する側）にトナーと逆極性の電荷を付与することにより、トナー像は中間転写ベルト４２１に静電的に転写される。
【００３６】
その後、用紙Ｓが二次転写ニップを通過する際、中間転写ベルト４２１上のトナー像が用紙Ｓに二次転写される。具体的には、二次転写ローラー４２４に二次転写バイアスを印加し、用紙Ｓの裏面側（二次転写ローラー４２４と当接する側）にトナーと逆極性の電荷を付与することにより、トナー像は用紙Ｓに静電的に転写される。トナー像が転写された用紙Ｓは定着部６０に向けて搬送される。
【００３７】
ベルトクリーニング部４２６は、中間転写ベルト４２１の表面に摺接するベルトクリーニングブレード等を有し、二次転写後に中間転写ベルト４２１の表面に残留する転写残トナーを除去する。なお、二次転写ローラー４２４に代えて、二次転写ローラーを含む複数の支持ローラーに、二次転写ベルトがループ状に張架された構成（いわゆるベルト式の二次転写ユニット）を採用しても良い。
【００３８】
定着部６０は、用紙Ｓの定着面（トナー像が形成されている面）側に配置される定着面側部材を有する上側定着部６０Ａ、用紙Ｓの裏面（定着面の反対の面）側に配置される裏面側支持部材を有する下側定着部６０Ｂ、及び加熱源６０Ｃ等を備える。定着面側部材に裏面側支持部材が圧接されることにより、用紙Ｓを狭持して搬送する定着ニップが形成される。
【００３９】
定着部６０は、トナー像が二次転写され、搬送されてきた用紙Ｓを定着ニップで加熱、加圧することにより、用紙Ｓにトナー像を定着させる。定着部６０は、定着器Ｆ内にユニットとして配置される。また、定着器Ｆには、エアを吹き付けることにより、定着面側部材又は裏面側支持部材から用紙Ｓを分離させるエア分離ユニットが配置されていても良い。
【００４０】
用紙搬送部５０は、給紙部５１、排紙部５２および搬送経路部５３等を備える。給紙部５１を構成する３つの給紙トレイユニット５１ａ〜５１ｃには、坪量やサイズ等に基づいて識別された用紙Ｓ（規格用紙、特殊用紙）が予め設定された種類ごとに収容される。搬送経路部５３は、レジストローラー対５３ａ等の複数の搬送ローラー対を有する。
【００４１】
給紙トレイユニット５１ａ〜５１ｃに収容されている用紙Ｓは、最上部から一枚ずつ送出され、搬送経路部５３により画像形成部４０に搬送される。このとき、レジストローラー対５３ａが配設されたレジストローラー部により、給紙された用紙Ｓの傾きが補正されるとともに搬送タイミングが調整される。そして、画像形成部４０において、中間転写ベルト４２１のトナー像が用紙Ｓの一方の面に一括して二次転写され、定着部６０において定着工程が施される。画像形成された用紙Ｓは、排紙ローラー５２ａを備えた排紙部５２により機外に排紙される。
【００４２】
次に、現像装置４１２の構成について説明する。図３に示すように、現像装置４１２は、トナーとキャリアーとを含む現像剤を用いて、感光体ドラム４１３（像担持体）上に形成された静電潜像を現像することにより、感光体ドラム４１３上にトナー像を形成する。現像装置４１２は、現像ローラー１１０（現像剤担持体）、供給ローラー１２０、搬送ガイド部１３０、攪拌ローラー１４０および搬送ローラー１５０を備える。
【００４３】
攪拌ローラー１４０および搬送ローラー１５０は、螺旋形状のスクリュー部材である。攪拌ローラー１４０は、第１の現像剤供給室１４５に収納されている。搬送ローラー１５０は、第２の現像剤供給室１５５に収納されている。攪拌ローラー１４０および搬送ローラー１５０は、現像剤を攪拌しながら供給ローラー１２０へ搬送する。
【００４４】
供給ローラー１２０は、回転可能な供給スリーブと、供給スリーブの内部に配置された供給マグネットロールとを備え、搬送ローラー１５０に対向して配置されている。供給マグネットロール内には、磁界を発生させる複数の磁極が配置されている。この磁極が発生する磁界によって、現像剤は、供給スリーブの外周面に担持され、供給スリーブが図中反時計回りに回転することにより、搬送ガイド部１３０まで搬送される。
【００４５】
搬送ガイド部１３０は、現像ローラー１１０と供給ローラー１２０との間に架設され、供給ローラー１２０から搬送された現像剤を現像ローラー１１０に供給する。搬送ガイド部１３０の鉛直上方の面は、平坦面であって、かつ、供給ローラー１２０から現像ローラー１１０へ向けて降り斜面をなしている。搬送ガイド部１３０における供給ローラー１２０側の端部と供給ローラー１２０との間には間隙（例えば、０．７５［ｍｍ］）が形成されている。
【００４６】
現像ローラー１１０は、回転可能な現像スリーブ１１０Ａと、現像スリーブ１１０Ａの内部に配置された現像マグネットロール１１０Ｂとを備える。現像ローラー１１０は、感光体ドラム４１３に近接して配置され、感光体ドラム４１３に近接する現像領域１１５へ現像剤を搬送する。現像スリーブ１１０Ａは図中反時計回りで回転する。現像マグネットロール１１０Ｂ内には、磁界を発生させる複数の磁極が配置されている。搬送ガイド部１３０における現像ローラー１１０側の端部と現像スリーブ１１０Ａとの間には所定の間隙（例えば、０．５０［ｍｍ］）が形成されている。
【００４７】
現像スリーブ１１０Ａの近傍には、規制ブレード１８０が配置されている。規制ブレード１８０の端部は、現像スリーブ１１０Ａの回転方向において、搬送ガイド部１３０との近接部よりも下流であって、かつ、現像領域１１５よりも上流に位置している。規制ブレード１８０は、図示しない規制ホルダにより支持されている。
【００４８】
現像ローラー１１０の一部、供給ローラー１２０、搬送ガイド部１３０、攪拌ローラー１４０、搬送ローラー１５０および規制ブレード１８０は、現像ケーシング１９０の中に収納されている。現像ケーシング１９０には、第１の現像剤供給室１４５および第２の現像剤供給室１５５が形成されている。第１の現像剤供給室１４５と第２の現像剤供給室１５５とは、隔壁部２００により仕切られている。
【００４９】
第１の現像剤供給室１４５には、トナー供給部（図示せず）からトナーが供給される。攪拌ローラー１４０は、回転することにより第１の現像剤供給室１４５へ供給されたトナーとキャリアーとを混合攪拌し摩擦帯電する。攪拌ローラー１４０は、摩擦帯電した現像剤を第２の現像剤供給室１５５へ搬送する。搬送ローラー１５０は、回転することにより、攪拌ローラー１４０から搬送された現像剤を供給ローラー１２０へ搬送する。
【００５０】
供給ローラー１２０の供給マグネットロールが発生する磁界によって、供給スリーブの外周面上にキャリアーの磁気ブラシが発生して、磁気ブラシに担持されたトナーを含む現像剤の層が供給スリーブの外周面上に形成される。供給スリーブは、図中反時計回りに回転することによって、現像剤を磁界によって当該供給スリーブの外周面に担持しながら、搬送ガイド部１３０まで搬送する。
【００５１】
搬送ガイド部１３０上の現像剤は、現像ローラー１１０まで導かれる。現像マグネットロール１１０Ｂが発生する磁界によって、現像スリーブ１１０Ａの外周面上に磁気ブラシが発生して、現像剤の層が現像スリーブ１１０Ａの外周面上に形成される。そして、現像スリーブ１１０Ａは、図中反時計回りに回転することにより、現像剤を磁界によって現像スリーブ１１０Ａの外周面に担持しながら、感光体ドラム４１３に最も接近する現像領域１１５まで搬送する。その途中で、規制ブレード１８０が現像剤の層の厚さを規制することにより、一定量の現像剤が現像領域１１５へ搬送される。現像領域１１５において、現像剤の層は感光体ドラム４１３の表面に接触する。現像領域１１５において、トナーは、現像スリーブ１１０Ａから感光体ドラム４１３の表面に形成された静電潜像へ静電的に移行する。このようにして、現像装置４１２は、感光体ドラム４１３上の静電潜像をトナーによって顕像化する。
【００５２】
本実施の形態では、現像装置４１２の現像方式は逆転現像方式である。すなわち、感光体ドラム４１３の回転方向と現像スリーブ１１０Ａの回転方向が同方向で、現像領域１１５においては感光体ドラム４１３の表面と現像スリーブ１１０Ａの表面に担持された現像剤とが逆方向から接触する。逆転現像方式では、感光体ドラム４１３の表面と現像スリーブ１１０Ａ上に保持された現像剤の磁気ブラシとが逆方向からすれ違う形で接触するため、現像剤との接触量が多くなる結果、現像性が高く、高速現像においても高い濃度の画像を得ることができる。なお、現像装置４１２の現像方式は、感光体ドラム４１３の回転方向と現像スリーブ１１０Ａの回転方向が逆方向で、現像領域１１５においては感光体ドラム４１３の表面と現像スリーブ１１０Ａの表面に担持された現像剤とが同方向から接触する正転現像方式でも良い。
【００５３】
現像装置４１２の上部には、現像ケーシング１９０の上面に沿って形成された吸引ダクト１６０と、吸引ダクト１６０に繋がれた吸引ファン１７０とが設けられている。
【００５４】
吸引ダクト１６０は、感光体ドラム４１３および現像ローラー１１０の上方に配置され、現像スリーブ１１０Ａの表面から飛散したトナー（以下、「飛散トナー」という）を、感光体ドラム４１３に対向する位置に設けられた吸引口１６２から吸引する空気の流路を形成する。なお、吸引ダクト１６０の内部には、トナーフィルターやオゾンフィルターが設けられていても良い。
【００５５】
飛散トナーの発生は、次のメカニズムによって発生する。すなわち、現像剤が、長期間使用されていない場合や高温高湿環境に放置された場合に、トナーとキャリアーとの摩擦帯電がされない、あるいは、摩擦帯電し難い状態となるため、トナーの帯電量が低下する。そして、トナーの帯電量が低下した状態で画像形成動作を始めると、トナーとキャリアーとの静電気的な付着力が弱くなっているために、感光体ドラム４１３で発生する風の流れ、現像時の交流電界の作用、現像スリーブ１１０Ａの回転の遠心力等により、キャリアーから離脱したトナーが感光体ドラム４１３に対向する現像領域１１５となる現像装置４１２の開口部から飛散する。飛散トナーが発生すると、当該飛散トナーは、吸引ダクト１６０の内壁面（傾斜面）に付着して堆積する。そして、堆積した飛散トナーの量が過剰になると、画像形成時やメンテナンス時の振動により、吸引ダクト１６０の内壁面に堆積した飛散トナーが現像スリーブ１１０Ａ上または感光体ドラム４１３上に落下することに起因して、トナーこぼれ（画像不良）が発生する。
【００５６】
吸引ファン１７０は、そのモーターおよび当該モーターを駆動するモーター駆動回路を有し、制御部１００からの制御命令を受けて、吸引ダクト１６０の内壁面に堆積する前に、飛散トナーを吸引する空気の流れ（点線矢印Ｂ方向）を発生させる。制御部１００は、モーター駆動回路に印加する駆動電圧を制御することにより、吸引ファン１７０の吸引風速を変化させることができる。
【００５７】
例えば画像形成装置１の起動時には、制御部１００は、駆動電圧を低くする信号をモーター駆動回路に送り、吸引ファン１７０の吸引風速を低く制御する。また、用紙Ｓに対する画像形成処理の実行が開始した場合、すなわち感光体ドラム４１３に対する現像処理が開始して飛散トナーが発生するおそれがある場合には、制御部１００は、駆動電圧を高くする信号をモーター駆動回路に送り、吸引ファン１７０の吸引風速を高く制御する。その後、用紙Ｓに対する画像形成処理の実行が終了した場合、すなわち感光体ドラム４１３に対する現像処理が終了した場合には、制御部１００は、駆動電圧を低くする信号をモーター駆動回路に送り、吸引ファン１７０の吸引風速を低く制御する。
【００５８】
しかしながら、現像装置４１２の駆動中に飛散トナーを吸引ファン１７０で吸引しても、全ての飛散トナーを吸引しきれるわけではなく、吸引しきれなかった飛散トナーは吸引ダクト１６０の内壁面に堆積してしまう。そのため、トナーこぼれの発生を防止する、つまり堆積した飛散トナーが現像スリーブ１１０Ａ上または感光体ドラム４１３上にこぼれ落ちないようにするため、ユーザーは、吸引ダクト１６０の内壁面を定期的に清掃して飛散トナーの堆積量を一定量以下に維持し続ける必要がある。
【００５９】
そこで、本実施の形態では、補集部材２１０およびトナー飛翔部材２２０を有する飛翔装置２０５が、吸引ダクト１６０の内壁面にユニットとして配置される。図４は、現像スリーブ１１０Ａおよび飛翔装置２０５を矢印Ｘ方向から見た上視図である。
【００６０】
補集部材２１０は、図４に示すように、現像スリーブ１１０Ａの回転軸方向（図中左右方向）に延在し、現像装置４１２の開口部（現像領域１１５）から飛散する飛散トナーを補集する。補集部材２１０は、弾性を有し、繊維状材料でブラシ状に形成される。本実施の形態では、補集部材２１０は、例えば、基布にアクリル繊維、ポリエステル繊維、ポリスチレン繊維またはナイロン繊維等の束をループ状に織り込んで植毛したもの（毛材部）を吸引ダクト１６０の内壁面に取り付けて構成されている。補集部材２１０のパイル長は、例えば１．０［ｍｍ］以上である。補集部材２１０は、導電性を有していても良く、絶縁性を有していても良い。補集部材２１０は、表面積が大きくなるように構成されているため、より多くの飛散トナーを補集することができる。
【００６１】
トナー飛翔部材２２０は、補集部材２１０を弾性変形させることによって、補集部材２１０により補集された飛散トナーを飛翔させる。トナー飛翔部材２２０は、樹脂材料または金属材料によって形成された丸棒である。樹脂材料としては例えば、ＡＢＳ樹脂（アクリロニトリルブタジエンスチレン樹脂）、ポリアセタール（ＰＯＭ）、ポリカーボネート（ＰＣ）、ポリエチレンテレフタレート（ＰＥＴ）等が用いられる。また、金属材料としては例えば、ＳＵＳ材（ステンレス鋼材）、ＳＵＭ材（硫黄および硫黄複合快削鋼鋼材）、クロム鋼板、アルミ材等が用いられる。トナー飛翔部材２２０は、補集部材２１０の毛材部に対して例えば０．５［ｍｍ］以上食い込むように位置決めされている。なお、トナー飛翔部材２２０は，丸棒に限らず，例えば三角棒、平板、湾曲した板材等であっても良い。
【００６２】
本実施の形態では、図４に示すように、現像スリーブ１１０Ａの回転軸方向において複数のトナー飛翔部材２２０は、所定の間隔を空けて支持部材２３０に取り付けられている。支持部材２３０は、制御部１００の制御を受けた公知の移動機構により、現像スリーブ１１０Ａの回転軸方向と同じ方向（図中の矢印Ｃ方向）に移動可能に構成されている。
【００６３】
支持部材２３０が移動することにより、支持部材２３０に取り付けられているトナー飛翔部材２２０は図５に示すように、補集部材２１０の毛材部に摺接して弾性変形させる。その後、トナー飛翔部材２２０の摺接が解除された毛材部は、元の形状に復元しようとする（フリッキング作用）。このフリッキング作用により、補集部材２１０により補集された飛散トナー２４０は、掻き飛ばされて、例えば矢印Ｄ方向に飛翔することとなる。補集部材２１０から飛翔した飛散トナー２４０は、吸引ファン１７０により吸引される。その結果、補集部材２１０により補集され続ける飛散トナー２４０の量を一定量以下に維持し続けることができ、補集部材２１０に補集された飛散トナー２４０の量が過剰になって補集部材２１０から飛散トナー２４０が現像スリーブ１１０Ａ上または感光体ドラム４１３上に落下することを防止することができる。よって、飛散トナー２４０の落下に起因するトナーこぼれの発生を防止することができる。なお、トナー飛翔部材２２０は、回転しながら補集部材２１０の毛材部に摺接しても良い。
【００６４】
本実施の形態では、制御部１００は、所定のタイミングで支持部材２３０を移動させることによって、補集部材２１０により補集された飛散トナーを飛翔させる。所定のタイミングは、例えば印刷ジョブ間のタイミング、または、補集部材２１０の清掃を行う清掃モードの実行が、操作部２２に対するユーザー操作によって指示されたタイミングである。制御部１００は、支持部材２３０を移動させる場合、吸引ファン１７０の吸引風速が、支持部材２３０を移動させない場合と比べて増大するように制御を行う。吸引ファン１７０による、補集部材２１０から飛翔した飛散トナー２４０の吸引を促進するためである。
【００６５】
以上詳しく説明したように、本実施の形態の画像形成装置１は、感光体ドラム４１３に対向して配置され、トナーとキャリアーとを含む現像剤を担持しながら搬送し、感光体ドラム４１３に現像剤中のトナーを供給する現像ローラー１１０と、感光体ドラム４１３および現像ローラー１１０の上方に配置され、現像ローラー１１０の表面から飛散したトナーを吸引口１６２から吸引する空気の流路を形成する吸引ダクト１６０と、空気の流れを発生させる吸引ファン１７０と、吸引ダクト１６０の内壁面に設けられ、飛散した飛散トナー２４０を補集する弾性の補集部材２１０と、補集部材２１０を弾性変形させることによって補集部材２１０により補集された飛散トナー２４０を飛翔させるトナー飛翔部材２２０とを備える。
【００６６】
このように構成した本実施の形態によれば、現像ローラー１１０の表面から飛散した飛散トナー２４０は、吸引ダクト１６０の内壁面に設けられた補集部材２１０によって補集された後、トナー飛翔部材２２０によって補集部材２１０から飛翔させられる。そして、補集部材２１０から飛翔させられた飛散トナー２４０は、吸引ファン１７０によって吸引される。その結果、ユーザーが吸引ダクト１６０の内壁面を定期的に清掃しなくても、吸引ダクト１６０の内壁面に堆積する飛散トナー量を一定量以下に維持することができる。したがって、ユーザーの保守負担を減らしつつ、吸引ダクト１６０の内壁面に堆積した飛散トナー２４０が現像ローラー１１０上または感光体ドラム４１３上に落下することに起因するトナーこぼれの発生を防止することができる。
【００６７】
なお、上記実施の形態では、支持部材２３０を移動させることにより、支持部材２３０に取り付けられているトナー飛翔部材２２０を補集部材２１０の毛材部に摺接させる例について説明したが本発明はこれに限らない。例えば、現像スリーブ１１０Ａおよび飛翔装置２０５の上視図である図６に示すように、１つのトナー飛翔部材２２０を現像スリーブ１１０Ａの回転軸方向と同じ方向（図中の矢印Ｃ方向）に移動させることによって、トナー飛翔部材２２０を補集部材２１０の毛材部に摺接させても良い。この場合、トナー飛翔部材２２０は、支持部材２５０に取り付けられている。支持部材２５０は、ボールねじ２６０に取り付けられている。制御部１００は、図示しない駆動手段（モーター）を介してボールねじ２６０を回転させることによって、支持部材２５０ひいてはトナー飛翔部材２２０を現像スリーブ１１０Ａの回転軸方向と同じ方向に移動させる。
【００６８】
また、上記実施の形態において、補集部材２１０は繊維状材料でブラシ状に形成される例について説明したが、本発明はこれに限らない。例えば、補集部材２１０は、ウレタンスポンジ等の発泡性材料で形成されても良い。この場合、補集部材２１０は、繊維状材料で形成される場合と同様に、表面積が大きくなるように構成されているため、より多くの飛散トナーを補集することができる。さらに言えば、表面積をより大きくして多くの飛散トナーを補集する観点から、補集部材２１０は連続気泡体であることが好ましい。トナー飛翔部材２２０は図７に示すように、発泡性材料で形成された補集部材２１０に摺接して弾性変形させる。その後、トナー飛翔部材２２０の摺接が解除された補集部材２１０は、元の形状に復元しようとする（フリッキング作用）。このフリッキング作用により、補集部材２１０により補集された飛散トナー２４０は、掻き飛ばされて、例えば矢印Ｄ方向に飛翔することとなる。補集部材２１０から飛翔した飛散トナー２４０は、吸引ファン１７０により吸引される。補集部材２１０は、弾性を有して飛散トナー２４０を補集することができれば任意の材料で形成されて良く、繊維状材料および発泡性材料の他に例えば短冊状フイルムで形成されても良い。
【００６９】
［実施例］
最後に、本発明者らが行った、上記実施の形態における有効性を確認する実験の結果について説明する。
【００７０】
［実施例１に係る画像形成装置の構成］
実施例１に係る画像形成装置としては、図１〜５の構成を有する画像形成装置１を用いた。すなわち、補集部材２１０は、繊維状材料でブラシ状に形成される。
［実施例２に係る画像形成装置の構成］
実施例２に係る画像形成装置としては、図１〜４，７の構成を有する画像形成装置１を用いた。すなわち、補集部材２１０は、ウレタンスポンジ（発泡性材料）で形成される。
［比較例に係る画像形成装置の構成］
比較例に係る画像形成装置としては、図１〜３の構成において吸引ダクト１６０の内壁面に飛翔装置２０５が配置されていない画像形成装置１を用いた。
【００７１】
［実験方法］
実験では、１０００００枚（１００印刷ジョブ、１印刷ジョブ：１０００枚）のＡ４用紙に対して画像形成処理を連続的に実施し、トナーこぼれ（画像不良）が発生した用紙枚数を確認した。表１に、実施例１，２および比較例のそれぞれについてトナーこぼれが発生した枚数を示す。
【表１】
2016118633.tif 000003
【００７２】
［実験結果］
表１に表したように、実施例１，２では、トナーこぼれの発生数は０である一方、比較例では４であった。比較例では、プリント枚数が増えるにつれて、現像スリーブ１１０Ａの表面から飛散した飛散トナーが吸引ダクト１６０の内壁面に多く堆積したと考えられる。そして、画像形成時の振動により、吸引ダクト１６０の内壁面に堆積した飛散トナーが現像スリーブ１１０Ａ上または感光体ドラム４１３上に落下することに起因して、トナーこぼれが発生したと考えられる。以上のように、実施例１，２では、比較例と比べて、ユーザーが吸引ダクト１６０の内壁面を定期的に清掃しなくてもトナーこぼれの発生を防止することができた。
【符号の説明】
【００７３】
１  画像形成装置
１０  画像読取部
２０  操作表示部
２１  表示部
２２  操作部
３０  画像処理部
４０  画像形成部
５０  用紙搬送部
６０  定着部
７１  通信部
７２  記憶部
１００  制御部
１０１  ＣＰＵ
１０２  ＲＯＭ
１０３  ＲＡＭ
１１０  現像ローラー
１２０  供給ローラー
１３０  搬送ガイド部
１４０  攪拌ローラー
１４５  第１の現像剤供給室
１５０  搬送ローラー
１５５  第２の現像剤供給室
１６０  吸引ダクト
１７０  吸引ファン
１８０  規制ブレード
１９０  現像ケーシング
２００  隔壁部
２０５  飛翔装置
２１０  補集部材
２２０  トナー飛翔部材
２３０，２５０  支持部材
２４０  飛散トナー
２６０  ボールねじ
４１２  現像装置
４１３  感光体ドラム
【図１】
2016118633.tif 000004
【図２】
2016118633.tif 000005
【図３】
2016118633.tif 000006
【図４】
2016118633.tif 000007
【図５】
2016118633.tif 000008
【図６】
2016118633.tif 000009
【図７】
2016118633.tif 000010